(57)【要約】【課題】不具合によって取り除かれたカセッテ内の輝尽性蛍光体プレートの画像情報が未消去である場合に、オペレータに認識させ、消去を促すことのできる放射線画像読取装置を提供する。【解決手段】カセッテ内に収容される輝尽性蛍光体プレートから放射線画像情報の読み取り及び消去を行う処理部と、カセッテを内部に搬送した後、カセッテから輝尽性蛍光体プレートを分離して処理部へ搬送する第１の搬送動作を行うと共に、輝尽性蛍光体プレートをカセッテに収容し、排出する第２の搬送動作を行う搬送部と、搬送部に於ける異常を検知する第１の検知部と、処理部に於ける異常を検知する第２の検知部と、第１の検知部が異常を検知した場合又は第２の検知部が異常を検知した場合に、放射線画像情報が消去されていないと判断し、警告を行わせる制御部と、を有する放射線画像読取装置とする。【選択図】図６
2011070037.tif 000002
【特許請求の範囲】
【請求項１】
カセッテ内に収容される輝尽性蛍光体プレートから放射線画像情報の読み取り及び読み取り後の放射線画像情報の消去を行う処理部と、
挿入部から挿入された前記カセッテを内部に搬送した後、前記カセッテから前記輝尽性蛍光体プレートを分離して前記処理部へ搬送する第１の搬送動作を行うと共に、前記処理部での処理を終えた前記輝尽性蛍光体プレートを前記カセッテに収容し、前記カセッテを排出部へ排出する第２の搬送動作を行う搬送部と、
前記搬送部に於ける異常を検知する第１の検知部と、
前記処理部に於ける異常を検知する第２の検知部と、
外部に配置され、所定の表示を行う表示部と、
前記第１の検知部が前記第１の搬送動作での異常を検知した場合又は前記第２の検知部が前記処理部に於ける異常を検知した場合に、前記輝尽性蛍光体プレートの放射線画像情報が消去されていないと判断し、前記表示部で警告を行わせる制御部と、を有することを特徴とする放射線画像読取装置。
【請求項２】
前記制御部は、未消去のカセッテが取り出された後、装置の初期化を行う前に、前記表示部で警告を行わせることを特徴とする請求項１に記載の放射線画像読取装置。
【請求項３】
前記制御部は、未消去のカセッテが取り出され、装置の初期化後に、前記輝尽性蛍光体プレートに記録された放射線画像情報を消去する消去モードに移行させることを特徴とする請求項１又は２に記載の放射線画像読取装置。
【請求項４】
前記消去モードへの移行後から前記カセッテが前記挿入部から挿入されるまでの間は、前記消去モードを解除可能としたことを特徴とする請求項３に記載の放射線画像読取装置。
【請求項５】
前記制御部は、異常の検知されたカセッテの識別情報を記憶し、前記消去モードにおいて挿入されたカセッテの識別情報と照合し、異なる際には、前記表示部で警告を行わせることを特徴とする請求項３又は請求項４に記載の放射線画像読取装置。
【発明の詳細な説明】
【技術分野】
【０００１】
本発明は、輝尽性蛍光体プレートに蓄積された放射線画像情報の読み取りを行う放射線画像読取装置に関するものである。
【背景技術】
【０００２】
挿入されたカセッテ内の輝尽性蛍光体プレートの画像情報を読み取った後、輝尽性蛍光体プレートの画像情報を消去し、その後カセッテを排出する放射線画像読取装置が知られている。
【０００３】
このような放射線画像読取装置において、挿入口に挿入されたカセッテを検出する少なくとも２対のカセッテ検出センサとカセッテを搬送する挿入ローラとを有し、カセッテ検出センサからの検出信号の状態に応じて挿入ローラの駆動を制御するものが知られている（例えば、特許文献１参照）。
【０００４】
これにより、カセッテの異常挿入によるカセッテや装置の破損を防止でき、安定稼働させることができるものであり、また、不具合で停止した際には、サービスマンの手を借りず、オペレータがカセッテを取り除くことが可能となっている。
【先行技術文献】
【特許文献】
【０００５】
【特許文献１】特開２００４−９４２４３号公報
【発明の概要】
【発明が解決しようとする課題】
【０００６】
しかしながら、上記特許文献１に記載の放射線画像読取装置は、この取り除かれたカセッテ内の輝尽性蛍光体プレートは、不具合箇所によっては残存する画像情報が消去されないままとなる場合がある。この未消去状態のカセッテが撮影に使用されると、再撮影が必要となり、被験者である患者の方に不要な被爆を与えることになる。
【０００７】
本発明は上記問題に鑑み、不具合によって取り除かれたカセッテ内の輝尽性蛍光体プレートの画像情報が未消去である場合に、オペレータに認識させ、消去を促すことのできる放射線画像読取装置を提供することを目的とするものである。
【課題を解決するための手段】
【０００８】
上記の目的は、下記の構成により達成される。
【０００９】
（１）カセッテ内に収容される輝尽性蛍光体プレートから放射線画像情報の読み取り及び読み取り後の放射線画像情報の消去を行う処理部と、挿入部から挿入された前記カセッテを内部に搬送した後、前記カセッテから前記輝尽性蛍光体プレートを分離して前記処理部へ搬送する第１の搬送動作を行うと共に、前記処理部での処理を終えた前記輝尽性蛍光体プレートを前記カセッテに収容し、前記カセッテを排出部へ排出する第２の搬送動作を行う搬送部と、前記搬送部に於ける異常を検知する第１の検知部と、前記処理部に於ける異常を検知する第２の検知部と、外部に配置され、所定の表示を行う表示部と、前記第１の検知部が前記第１の搬送動作での異常を検知した場合又は前記第２の検知部が前記処理部に於ける異常を検知した場合に、前記輝尽性蛍光体プレートの放射線画像情報が消去されていないと判断し、前記表示部で警告を行わせる制御部と、を有することを特徴とする放射線画像読取装置。
【００１０】
（２）前記制御部は、未消去のカセッテが取り出された後、装置の初期化を行う前に、前記表示部で警告を行わせることを特徴とする前記（１）に記載の放射線画像読取装置。
【００１１】
（３）前記制御部は、未消去のカセッテが取り出され、装置の初期化後に、前記輝尽性蛍光体プレートに記録された放射線画像情報を消去する消去モードに移行させることを特徴とする前記（１）又は（２）に記載の放射線画像読取装置。
【００１２】
（４）前記消去モードへの移行後から前記カセッテが前記挿入部から挿入されるまでの間は、前記消去モードを解除可能としたことを特徴とする前記（３）に記載の放射線画像読取装置。
【００１３】
（５）前記制御部は、異常の検知されたカセッテの識別情報を記憶し、前記消去モードにおいて挿入されたカセッテの識別情報と照合し、異なる際には、前記表示部で警告を行わせることを特徴とする前記（３）又は（４）に記載の放射線画像読取装置。
【発明の効果】
【００１４】
本発明によれば、不具合によって取り除かれたカセッテ内の輝尽性蛍光体プレートの画像情報が未消去である場合に、オペレータに認識させ、消去を促すことのできる放射線画像読取装置を提供することが可能となる。
【図面の簡単な説明】
【００１５】
【図１】本実施の形態に係る放射線読取装置に於いて画像情報の読み取りが行われる輝尽性蛍光体プレートを収容するカセッテの分解斜視図である。
【図２】図１のフロント部材とバック部材とが合体したカセッテの断面を示す模式断面図である。
【図３】本実施の形態に係る放射線画像読取装置の上面、正面及び左側面を示した斜視図である。
【図４】本実施の形態に係る放射線画像読取装置の主要部の構成を示すブロック図である。
【図５】本実施の形態に係る放射線画像読取装置の動作概略を示すフローチャートである。
【図６】本実施の形態に係る放射線画像読取装置の動作概略を示すフローチャートである。
【発明を実施するための形態】
【００１６】
以下、実施の形態により本発明を詳しく説明するが、本発明はこれに限定されるものではない。
【００１７】
図１は、本実施の形態に係る放射線読取装置に於いて画像情報の読み取りが行われる輝尽性蛍光体プレートを収容するカセッテの分解斜視図である。図１においては、フロント部材及びバック部材が分離した状態を示している。
【００１８】
図１（Ａ）、（Ｂ）に示すように、カセッテ９０は、フロント部材９１０と、フロント部材９１０に対向するように配置されるバック部材９２０と、で構成され、バック部材９２０側の支持板９２７に固定された状態で輝尽性蛍光体プレート９２８がその内部空間に収容可能に構成されている。フロント部材９１０とバック部材９２０とは脱着可能になっている。
【００１９】
図１（Ａ）に示すように、フロント部材９１０は、短辺側のフレーム９１７と長辺側のフレーム９１８とを有する外形枠のフレーム部材９１１と、フレーム部材９１１の内側面に内接された前面板９１３と、を備える。また、一方の短辺側のフレーム９１７の側面部の略中央には、切り欠き部９１４が設けられている。
【００２０】
図１（Ｂ）に示すように、バック部材９２０は、バック部材本体９２１と、輝尽性蛍光体プレート９２８と、輝尽性蛍光体プレート９２８を支持する支持板９２７と、を備える。また、バック部材９２０には、フロント部材９１０と係合してフロント部材９１０との結合をロックするためのロック爪９３０ａ、９３０ｂ、９３２ａ、９３２ｂ等がバック部材９２０の側面部に設けられるとともに、ロック爪９３０ａ、９３０ｂ、９３２ａ、９３２ｂ等を連動してロックオン、ロックオフさせるためのスライド板９５０がフロント部材９１０の切り欠き部９１４に対応して設けられている。なお、ロック爪９３０ａ、９３０ｂが設けられた側面と反対側の側面、及びロック爪９３２ａ、９３２ｂが設けられた側面と反対側の側面にもロック爪が設けられているが図示されていない。
【００２１】
カセッテ９０は、フロント部材９１０側から放射線を照射して放射線撮影が行われ、収容された輝尽性蛍光体プレート９２８に放射線画像を蓄積し記録することができる。即ち、輝尽性蛍光体プレート９２８は、支持板９２７上に形成された、例えばＣｓＢｒを母体とする輝尽性蛍光体からなる輝尽性蛍光体層９２８ａを有し、輝尽性蛍光体層９２８ａがシート状の画像記録部を構成する。
【００２２】
図２は、図１のフロント部材９１０とバック部材９２０とが合体したカセッテ９０の断面を示す模式断面図である。
【００２３】
図示の如く、バック部材９２０とフロント部材９１０とが一体に合体してカセッテ９０が構成され、外光は輝尽性蛍光体プレート９２８へ到達しないようになっている。
【００２４】
また、バック部材本体９２１は、放射線画像読み取り装置内で磁石の磁力により吸着、保持されるようになっている。このため、磁石に磁力で吸着可能なように、バック部材本体９２１自体を磁性部として、磁性体プラスチックなどで形成することが好ましい。また、バック部材本体９２１を通常のプラスチックで形成し、鉄箔などの磁性体シート（図示せず）を磁性部としてバック部材９２０の裏面９２４に備える構成してもよい。また、バック部材９２０の裏面９２４に、磁性体物質を塗布するなどし、磁性部を付与してもよい。
【００２５】
このように、フロント部材９１０とバック部材９２０とは合体および分離可能であるが、通常は図２に示すように合体した状態で放射線撮影が行われる。
【００２６】
図３は、本実施の形態に係る放射線画像読取装置１の上面、正面及び左側面を示した斜視図である。
【００２７】
図３に示すように、放射線画像読取装置１は、略直方体箱状に設けられた筐体２を有し、筐体２内に種々の部材、機構が設けられることで放射線画像読取装置１が構成されている。
【００２８】
筐体２の上面２２には、左右方向に長尺な矩形状の、カセッテ９０を挿入及び排出するための開口部２３が形成されている。この開口部２３に、図２に示したカセッテ９０が挿入される。この後、不図示の搬送部により内部の処理部に搬送され、カセッテ９０のフロント部材９１０とバック部材９２０とが分離させられた後、処理部において輝尽性蛍光体プレート９２８から放射線画像情報の読み取りが行われる。読み取り完了後、輝尽性蛍光体プレート９２８の放射線画像情報を消去し、フロント部材９１０とバック部材９２０とを合体させて、開口部２３より排出されるようになっている。開口部２３は、本発明の挿入部及び排出部に相当する。
【００２９】
本実施の形態においては、カセッテ９０が開口部２３に挿入され、不図示の搬送部により内部へ搬送され、カセッテ９０のフロント部材９１０とバック部材９２０とが分離され、放射線画像情報の読み取りを行う処理部に配置される。ここまでの動作を第１の搬送動作と称している。また、処理部での読み取り及び消去を終えた後の、カセッテ９０のフロント部材９１０とバック部材９２０とを合体させ、開口部２３に排出するまでの動作を第２の搬送動作と称している。
【００３０】
また、放射線画像読取装置１の内部には、第１の搬送動作及び第２の搬送動作を行う搬送部に於ける異常の発生を検知する不図示の第１の検知部が設けられている。また、同様に、処理部に於ける読み取り及び消去時の異常の発生を検知する不図示の第２の検知部が設けられている。
【００３１】
２５は表示部であり、ＬＣＤ、有機ＥＬ等のディスプレイが設けられている。表示部２５では、放射線画像読取装置１の動作状況表示や、第１の検知部及び第２の検知部で異常が検知された際の警告表示等を行う。２６は操作部であり、各種釦が配置されている。操作部２６は、放射線画像読取装置１の動作に関する入力等をオペレータが行う際に用いられる。なお、表示部２５は、２次元ディスプレイでなく、ＬＥＤアレイや音声等により動作状況をオペレータに認識させるものであってもよい。
【００３２】
また、筐体２の側面には、開閉自在な蓋２１が設けられ、搬送部及び処理部で不具合が発生した場合に、オペレータにより開かれ、内部のカセッテ９０又は分離された状態のフロント部材９１０とバック部材９２０を取り出すことができるようになっている。
【００３３】
また、開口部２３には、カセッテ９０の識別情報であるＩＤを記録したバーコードを読み取る識別情報読み取り部としてのバーコードリーダ２４が設けられている。このバーコードリーダ２４で読み取られた識別情報は、放射線画像読取装置１内に設けられた不揮発性メモリに記憶される。
【００３４】
図４は、本実施の形態に係る放射線画像読取装置１の主要部の構成を示すブロック図である。
【００３５】
図４に示すように、放射線画像読取装置１は、全体を制御する制御部１０を備えている。制御部１０は、ＣＰＵ、作業領域としてのＲＡＭ、ドライバ等を有しており、ＲＯＭ１１に格納された動作プログラム等を読み出し、図示各部の動作制御を行うものである。
【００３６】
カセッテ検知部１６は、センサが複数箇所に適宜配置されており、カセッテ９０の開口部２３への挿入及び、装置内部でのカセッテ９０の存在の有無を検知する。
【００３７】
搬送部１２は、上述の第１の搬送動作及び第２の搬送動作を行う。第１の検知部１３は、搬送部１２に於ける異常の発生を検知する。処理部１４は、輝尽性蛍光体プレート９２８に記録された放射線画像情報の読み取り及び消去を行う。第２の検知部１５は、処理部１４に於ける読み取り及び消去時の異常の発生を検知する。操作部２６は、各種入力釦を有し、動作に関する各種の入力が行われる。表示部２５は、放射線画像読取装置１の動作状況表示や、第１の検知部及び第２の検知部で異常が検知された際の警告表示等を行う。バーコードリーダ２４は、カセッテ９０のＩＤを記録したバーコードを読み取る識別情報読み取り部であり、読み取ったＩＤは不揮発性メモリ１７に記憶される。蓋開閉検知部１８は、蓋２１（図３参照）の開閉状態を検知するものである。
【００３８】
以上のような構成の放射線画像読取装置１の動作概略について説明する。
【００３９】
図５及び図６は、本実施の形態に係る放射線画像読取装置１の動作概略を示すフローチャートである。なお、図５、図６に示すフローは、放射線画像読取装置１のメインスイッチがＯＮ状態とされ、放射線画像情報の読み取りを行う読み取りモードで、装置内が初期化されているものとして示してある。以下、図５、図６に示すフローに従い説明する。
【００４０】
まず、本実施の形態に係る放射線画像読取装置１の正常な動作が行われた場合のフローについて説明する。
【００４１】
読み取りモードがスタートすると、カセッテ９０が開口部２３へ挿入されるのを待機（ステップＳ１０１）すると共に、放射線画像読取装置１の操作部２６にあるメインスイッチがＯＦＦに操作されていないことを確認（ステップＳ２００；Ｎｏ）しつつ待機する。
【００４２】
メインスイッチがＯＮ状態（ステップＳ２００；Ｎｏ）でカセッテ検知部１６が、カセッテ９０が開口部２３へ挿入されたことを検知する（ステップＳ１０１；Ｙｅｓ）と、バーコードリーダ２４は、カセッテ９０の識別情報であるバーコードを読み取り、不揮発性メモリ１７に記憶させる（ステップＳ１０２）。
【００４３】
次いで、搬送部１２により第１の搬送動作を行う（ステップＳ１０３）。第１の検知部１３は、この第１の搬送動作に於ける搬送異常の発生の有無を判断する（ステップＳ１０４）。第１の搬送動作に於ける搬送が正常に行われた場合（ステップＳ１０４；Ｎｏ）は、処理部１４は輝尽性蛍光体プレート９２８に記録された放射線画像情報の読み取り動作を行い、読み取った画像情報を識別情報と対にして不揮発性メモリ１７への記憶を行う（ステップＳ１０５）。
【００４４】
次いで、ステップＳ１０５に於ける異常の有無を判断する（ステップＳ１０６）。画像情報の読み取り及び記憶が正常になされたと判断された場合（ステップＳ１０６；Ｎｏ）は、処理部１４は輝尽性蛍光体プレート９２８に記録された放射線画像情報を消去し、消去完了フラグをＯＮにする（ステップＳ１０７）。
【００４５】
次いで、搬送部１２により第２の搬送動作を行う（ステップＳ１０８）。第１の検知部１３は、この第２の搬送動作に於ける搬送異常の発生の有無を判断する（ステップＳ１０９）。第２の搬送動作に於ける搬送が正常に行われる（ステップＳ１０９；Ｎｏ）と、カセッテ９０を開口部２３へ排出（ステップＳ１１０）し、消去完了フラグをＯＦＦにする（ステップＳ１１１）。これで１枚の画像読み取り及び記憶が終了し、ステップＳ１０１に戻り、新たなカセッテ９０が開口部２３へ挿入されるのを待機する。
【００４６】
カセッテ９０が開口部２３へ挿入されるのを待機中（ステップＳ１０１；Ｎｏ）に、オペレータが放射線画像読取装置１の操作部２６のメインスイッチをＯＦＦ（ステップＳ２００；Ｙｅｓ）とすると、放射線画像読取装置１の動作を終了する。以上が、放射線画像読取装置１の正常な動作が行われているときのフローである。
【００４７】
一方、上述のステップＳ１０４、ステップＳ１０９において第１の検知部１３が搬送異常の発生を検知した場合（ステップＳ１０４；Ｙｅｓ）、（ステップＳ１０９；Ｙｅｓ）及び、ステップＳ１０６において第２の検知部１５が処理異常の発生を検知した場合（ステップＳ１０６；Ｙｅｓ）には、表示部２５でエラー表示を行う（ステップＳ１２１）。このエラー表示は、搬送部での搬送異常の発生、読み取りを行う処理部での処理異常等の発生と、該異常の発生部をオペレータに告知するものである。
【００４８】
次いで、カセッテ９０が装置外へ取り出されるのを待機する（ステップＳ１２２）。エラー表示は、このカセッテ９０が装置外へ取り出されるまで継続される。カセッテ９０が装置外へ取り出されたか否かは、蓋開閉検知部１８及びカセッテ検知部１６の検知結果により判断される。
【００４９】
装置内部にカセッテ９０の存在が検知されなくなり、カセッテ９０が装置外へ取り出されたと判断（ステップＳ１２２；Ｙｅｓ）すると、消去完了フラグがＯＮされているか判断（ステップＳ１２３）する。消去完了フラグがＯＮされている場合（ステップＳ１２３；Ｙｅｓ）は、装置内を初期化（ステップＳ１２４）して、ステップＳ１１１に戻る。
【００５０】
すなわち、消去完了フラグがＯＮされている場合は、既に輝尽性蛍光体プレート９２８の放射線画像情報が消去されており、ステップＳ１０８における第２の搬送動作での異常であり、カセッテ９０の取り出しのみ行えば、その後に支障はないということである。
【００５１】
一方、ステップＳ１２３において消去完了フラグがＯＮされてない場合（ステップＳ１２３；Ｎｏ）には、図６に示すフローに移行し、輝尽性蛍光体プレートの画像情報が未消去であることを、表示部２５を用いて警告を開始する（ステップＳ１５１）。
【００５２】
すなわち、不具合のあったカセッテ９０は装置外へ取り出されたが、消去完了フラグがＯＮされてないということは、取り出されたカセッテ９０内の輝尽性蛍光体プレートの画像情報は残存し、未消去である。この場合に、本実施の形態に係る放射線画像読取装置１は、取り出されたカセッテ９０内の輝尽性蛍光体プレートの画像情報が未消去であることを警告し、オペレータに認識させ、消去を促すことができる。
【００５３】
次いで、警告を継続しつつ、装置内を初期化（ステップＳ１５２）し、自動的に消去モードに遷移する（ステップＳ１５３）。
【００５４】
このように、時間の掛かる装置の初期化動作以前からカセッテが未消去であることを警告することで、オペレータが未消去カセッテであることを忘れて誤って撮影に使用してしまうことを抑制することができる。
【００５５】
また、カセッテ９０を取り出し、装置の初期化をした後に自動的に消去動作に移行することで、オペレータが放射線画像読取装置１を消去モードに移行させる手間を省略することが可能となる。
【００５６】
消去モードに遷移した後、操作部２６から消去モードの解除の入力操作が行われたか否かを判断（ステップＳ１５４）しつつ、カセッテ９０が開口部２３へ挿入されるのを待機（ステップＳ１５５）する。消去モードに遷移後、カセッテ９０が開口部２３へ挿入されない状態で、操作部２６から消去モードの解除の入力操作が行われる（ステップＳ１５４；Ｙｅｓ）と、ステップＳ１５１で開始した警告を停止させる（ステップＳ１７１）。次いで、読み取りモードに遷移（ステップＳ１７２）させて、ステップＳ１０１に戻る。
【００５７】
すなわち、本実施の形態に係る放射線画像読取装置１は、消去モードへ移行後からカセッテ９０が開口部２３から挿入されるまでの間は、操作部からの入力で消去モードを解除可能としている。
【００５８】
このように構成することで、緊急を要する場合等に、異常を発生させたカセッテ以外のカセッテの画像情報の読み取りが可能となる。
【００５９】
消去モードに遷移した後、操作部２６からの消去モードの解除の入力操作が無く（ステップＳ１５４；Ｎｏ）、カセッテ９０が開口部２３へ挿入されたことを検出（ステップＳ１５５；Ｙｅｓ）すると、挿入されたカセッテ９０の識別情報であるバーコードを読み取る（ステップＳ１５６）。
【００６０】
次いで、ステップＳ１５６で読み取った識別情報と、ステップＳ１０２で不揮発性メモリ１７に記憶されている、異常を発生させたカセッテ９０の識別情報とを照合する（ステップＳ１５７）。
【００６１】
ステップＳ１５６で読み取った識別情報と、ステップＳ１０２で不揮発性メモリ１７に記憶されている、異常を発生させたカセッテ９０の識別情報とが不一致の場合（ステップＳ１５７；Ｎｏ）には、消去の必要なカセッテとは相違していることを認識させるため、表示部２５でカセッテ相違エラー表示を行う（ステップＳ１５８）。このカセッテ相違エラー表示は、消去が必要なカセッテとは異なるカセッテが挿入されたことをオペレータに告知するものである。
【００６２】
このように構成することで、異常を発生させたカセッテ９０以外の輝尽性蛍光体プレートの画像情報を誤って消去することを防止することができる。
【００６３】
次いで、表示部２５でカセッテ相違エラー表示を行いつつ、挿入されたカセッテ９０を排出（ステップＳ１５９）し、排出後にカセッテ相違エラー表示を停止（ステップＳ１６０）させた後、ステップＳ１５５に戻り、新たなカセッテ９０の挿入を待機する。
【００６４】
一方、ステップＳ１５７で、ステップＳ１５６で読み取った識別情報と、ステップＳ１０２で記憶した、異常を発生させたカセッテ９０の識別情報とが一致した場合（ステップＳ１５７；Ｙｅｓ）には、上述の第１の搬送動作を行い、処理部１４において、輝尽性蛍光体プレートの画像情報を消去する（ステップＳ１８１）。これにより、異常を発生させたカセッテ９０内の画像情報の消去が完了する。
【００６５】
この後、ステップＳ１５１で開始した警告を停止させ（ステップＳ１８２）、第２の搬送動作を行い、カセッテ９０を排出（ステップＳ１８３）し、読み取りモードに遷移（ステップＳ１８４）させて、ステップＳ１０１に戻る。
【００６６】
以上が、本実施の形態に係る放射線画像読取装置１の動作概略である。
【００６７】
すなわち、本実施の形態に係る放射線画像読取装置１は、搬送部に於ける異常、処理部に於ける異常を検出した際に、輝尽性蛍光体プレートの画像情報が未消去の場合に警告を表示するものである。これにより、オペレータに未消去を認識させると共に消去を促し、異常を発生させたカセッテの誤使用による再撮影や、被験者である患者の方に不要な被爆を与えることを防止することが可能となる。
【符号の説明】
【００６８】
１  放射線画像読取装置
２  筐体
１０  制御部
１１  ＲＯＭ
１２  搬送部
１３  第１の検知部
１４  処理部
１５  第２の検知部
１６  カセッテ検知部
１７  不揮発性メモリ
１８  蓋開閉検知部
２３  開口部
２４  バーコードリーダ
２５  表示部
２６  操作部
９０  カセッテ
９１０  フロント部材
９１３  前面板
９２０  バック部材
９２８  輝尽性蛍光体プレート
【図１】
2011070037.tif 000003
【図２】
2011070037.tif 000004
【図３】
2011070037.tif 000005
【図４】
2011070037.tif 000006
【図５】
2011070037.tif 000007
【図６】
2011070037.tif 000008